(57)【特許請求の範囲】
【請求項１】
第１のコントローラ装置とこの第１のコントローラ装置に接続された第２のコントローラ装置とを内部に備え、前面にメイン表示部とサブ表示部が配置された本体と、前記本体に信号を入力する入力装置とを備えた電子計算機システムであって、
前記第１のコントローラ装置は、ＰＣ起動用ＢＩＯＳとＡＶ用ＢＩＯＳとを格納したＲＯＭにより構成された第１のＦＷＨと、ＡＶ用アプリケーションソフトを格納したＲＯＭにより構成された第２のＦＷＨとを備え、
前記第１のコントローラ装置と前記第２のコントローラ装置とは、起動信号を伝達する信号線と、情報の授受を行うＵＳＢ線とを介して接続され、
前記第２のコントローラ装置は、前記本体の電源コードが電源コンセントに接続された状態あるいは前記本体にバッテリが装着された状態で常に動作状態を取るように構成され、かつ、前記入力装置により入力された前記起動信号を前記信号線を介して前記第１のコントローラ装置へ送信し、
前記第１のコントローラ装置は、前記起動信号を受信すると、前記第１のＦＷＨを起動させるとともに、前記入力装置により入力された前記起動信号の種類に基づいて、前記本体をＰＣモードとする前記ＰＣ起動用ＢｌＯＳを起動させて前記本体のＯＳを立ち上げ、あるいは、前記本体をＡＶモードとする前記ＡＶ用ＢＩＯＳを起動させ、前記第２のＦＷＨを起動させて前記ＡＶ用アプリケーションソフトを立ち上げることを特徴とする電子計算機システム。
【請求項２】
請求項１記載の電子計算機システムにおいて、
前記入力装置は、ＡＶ電源ボタンとＰＣ電源ボタンとを備えたリモコンであり、
前記第１のコントローラ装置は、前記ＡＶ電源ボタンからの起動信号を受信すると、前記ＡＶ用ＢＩＯＳを起動して前記本体をＡＶモードとして機能させ、前記ＰＣ電源ボタンからの起動信号を受信すると、前記ＰＣ起動用ＢＩＯＳを起動して前記本体をＰＣモードとして機能させることを特徴とする電子計算機システム。
【請求項３】
請求項２記載の電子計算横システムにおいて、
前記本体は、電源スイッチを備え、
前記第１のコントローラ装置は、前記電源ボタンからの起動信号を受信すると、前記本体をあらかじめ設定された起動モードに応じて機能させることを特徴とする電子計算機システム。
【請求項４】
請求項２記載の電子計算機システムにおいて、
前記本体は、上面に配置された本体操作スイッチ群を備え、
前記本体操作スイッチ群は、主として前記ＡＶモードでの操作に用いられることを特徴とする電子計算機システム。
【請求項５】
請求項１〜４のうちいずれか１記載の電子計算機システムにおいて、
前記本体は、少なくともディスクドライブ手段とテレビジョン放送受信手段と音声出力手段とを備えていることを特徴とする電子計算機システム。
【請求項６】
請求項１記載の電子計算機システムにおいて、
前記サブ表示部は、前記第２のコントローラ装置に接続され、
前記第２のコントローラ装置は、前記本体の電源コードが電源コンセントに接続された状態あるいは前記本体にバッテリが装着された状態で、前記サブ表示部に各種表示を行うように制御することを特徴とする電子計算機システム。
【請求項７】
請求項６記載の電子計算機システムにおいて、
前記サブ表示部は、前記本体が前記ＡＶモードをとっている状態では前記ＡＶモードに関連する表示を行い、前記本体が前記ＰＣモードをとっている状態では前記ＰＣモードに関連する表示を行うことを特徴とする電子計算機システム。
【請求項８】
請求項６記載の電子計算機システムにおいて、
前記サブ表示部は、前記本体が前記ＰＣモードをとっている状態ではインターネット関連の表示を行うように制御されることを特徴とする電子計算機システム。
【請求項９】
請求項６記載の電子計算機システムにおいて、
前記本体は、前記ＡＶモードをとっている状態では前記第１のコントローラ装置が定期的にＰＣモードを立ち上げてインターネット関連の情報を取得し、取得したインターネット関連の情報を前記第２コントローラ装置に送信して前記サブ表示部に表示させることを特徴とする電子計算機システム。
【発明の詳細な説明】
【０００１】
【発明の属する技術分野】
本発明は、本来のパソコンとしての機能の他に、テレビ視聴機能などを具備した電子計算機システムに関するものである。
【０００２】
【従来の技術】
パソコンにＴＶチューナを内蔵させ、パソコンの画面においてＴＶ放送を視聴できるようにした製品が近時製品化されており、このようなパソコンを購入すると、パソコンがＴＶ受像機の機能を兼用しているので、家庭用ユースなどでは利便性がよいものとなる。また、最近のパソコンは、パソコンに内蔵されているＣＤ−ＲＯＭドライブ装置やＤＶＤドライブ装置によってＣＤやＤＶＤなどを再生して、パソコンで音楽ソフトや映像ソフトを視聴できるようになっており、さらには、ＤＶＤへの録画機能などを備えた製品も開発されつつある。
【０００３】
これらのＴＶ視聴機能やディスク視聴機能などは、パソコンに電源を投入してＯＳ（Operatig System）が起動された後、ＯＳの管理下のもとに、インストールされているＴＶ視聴機能アプリケーションソフトや光ディスク視聴機能アプリケーションソフトを起動することによって、実現されるようになっている。
【０００４】
また、パソコンに、メイン表示部とは別に小画面のサブ表示部を設けて、このサブ表示部において、例えば、インターネット関連のアイコンなどを表示するようにした製品も登場しているが、サブ表示部におけるネット関連の表示は、パソコンに電源を投入してＯＳが起動された後に（ＯＳが立ち上がっている状態で）、行われるようになっていた。
【０００５】
【発明が解決しようとする課題】
上述したように、従来技術では、パソコンでＴＶ放送を視聴するには、まず、電源投入を行って０Ｓを起動させることが必要であり、このためパソコンが未起動状態であるときには、ＯＳの起動に相当の時間を要するため、ＴＶ放送を視聴できるまでの待ち時間が長いという問題があった。特に、パソコンに多数の周辺機器が接続されている場合や、ハードディスクに多数のアプリケーションソフトやデータなどが格納されている場合には、チェック時間を多くとられるため、ＯＳの立ち上げに多くの時間を要し、上記の問題が顕著になる。
【０００６】
また、サブ表示部を設けた従来のパソコンにおいては、サブ表示部の主たる表示もＯＳが立ち上がっている状態で行われるので、ＯＳが起動されないとユーザに役立つ表示を行うことができないという問題があった。
【０００７】
本発明は上記の点に鑑みなされたもので、その目的とするところは、テレビ視聴機能などを具備した電子計算機システム（パソコン）において、ＯＳが未起動状態にある際にも、ＴＶ放送視聴状態となるまでの遷移時間（待ち時間）を短くできるようにし、以って、ユーザのイライラ感をなくすことにある。また、本発明の目的とするところは、ＯＳが未起動状態にある際にも、サブ表示部においてユーザにとって有用な情報を表示できるようにすることにある。
【０００８】
【課題を解決するための手段】
上記した目的を達成するために、本願による１つの代表的な発明では、
第１のコントローラ装置とこの第１のコントローラ装置に接続された第２のコントローラ装置とを内部に備え、前面にメイン表示部とサブ表示部が配置された本体と、前記本体に信号を入力する入力装置とを備えた電子計算機システムであって、
前記第１のコントローラ装置は、ＰＣ起動用ＢＩＯＳとＡＶ用ＢＩＯＳとを格納したＲＯＭにより構成された第１のＦＷＨと、ＡＶ用アプリケーションソフトを格納したＲＯＭにより構成された第２のＦＷＨとを備え、
前記第１のコントローラ装置と前記第２のコントローラ装置とは、起動信号を伝達する信号線と、情報の授受を行うＵＳＢ線とを介して接続され、
前記第２のコントローラ装置は、前記本体の電源コードが電源コンセントに接続された状態あるいは前記本体にバッテリが装着された状態で常に動作状態を取るように構成され、かつ、前記入力装置により入力された前記起動信号を前記信号線を介して前記第１のコントローラ装置へ送信し、
前記第１のコントローラ装置は、前記起動信号を受信すると、前記第１のＦＷＨを起動させるとともに、前記入力装置により入力された前記起動信号の種類に基づいて、前記本体をＰＣモードとする前記ＰＣ起動用ＢｌＯＳを起動させて前記本体のＯＳを立ち上げ、あるいは、前記本体をＡＶモードとする前記ＡＶ用ＢＩＯＳを起動させ、前記第２のＦＷＨを起動させて前記ＡＶ用アプリケーションソフトを立ち上げるように、構成する。
【０００９】
【発明の実施の形態】
以下、本発明の実施の形態を、図面を用いて説明する。図１は、本発明の一実施形態に係る電子計算機システムの概要を示す図である。本実施形態の電子計算機システムは、メイン表示部とサブ表示部とを前面に設けコントローラを含む各種構成要素を内蔵した本体１と、キーボード装置２と、図１では図示せぬマウスと、主としてＡＶ（Audio Visual）機能の操作に用いられるリモコン３と、必要に応じて外付けで増設されるハードディスクドライブ（ＨＤＤ）装置やフロッピーディスクドライブ装置などを含んで、構築されている。
【００１０】
図２は本実施形態の本体１を斜め前から見た斜視図、図３は本実施形態の本体１を斜め後上方から見た斜視図である。図１〜図３に示すように、本体１はスタンド部材４上に設置されており、本体１はスタンド部材４上で所定角度だけチルト回転できるようになっている。
【００１１】
図２に示すように、本体１の前面には、液晶ディスプレイよりなるメイン表示部５が設けられており、このメイン表示部５の両サイドにはスピーカカバー６が配置されている。また、メイン表示部５の下側中央には、メイン表示部５よりも小画面の液晶ディスプレイよりなる細長のサブ表示部７が設けられており、サブ表示部７の左側には、電源スイッチ８と、リモコン３からの赤外線（ＩＲ）信号を受信（受光）するＩＲ受光部９と、ＬＥＤ１０とが配置されている。
【００１２】
また、本体１の前面には、アクリル樹脂などからなる透明で平坦な前面クリアパネル１１が着脱自在であるように配設されていて、この前面クリアパネル１１は、本体１の前面の両サイドと電源スイッチ８部位を除いて、本体１の前面の大部分を覆うようになっている。このような透明で平坦な前面クリアパネル１１を設けると、液晶ディスプレイよりなるメイン表示部５で、ＴＶ放送番組を表示させるなど動画像を表示させた際に、画像をなめらかで艶っぽい表示として視認することができ、ＴＶ放送視聴に好適なものとなる。ただし、メイン表示部５でテキスト表示などを主として行わせるときには、ユーザによっては却って視認性を損なうことも考えられるので、前面クリアパネル１１は、この前面クリアパネル１１の四隅に設けた図示しないネジを外すことにより、ユーザの好みに応じて取り外しが可能なようになっている。
【００１３】
また、図２に示すように、本体１の左側面には、開閉可能なＰＣカードドア１２とコネクタドア１３とが設けられていて、各ドア１２、１３の内部には、ＰＣカードを装着・接続するためのカードスロットおよびコネクタ接続部がそれぞれ設けられている。
【００１４】
図３に示すように、本体１の上面には本体操作スイッチ群１４が設けられていて、この本体操作スイッチ群１４は、主としてＡＶ機能の操作に用いられるようになっている。また、本体１の右側面には、本体１に内蔵されたＤＶＤドライブ装置へのディスク挿入口１５が設けられており、本体１の裏面側には、取り外し可能な後部カバー１７が設けられている。なお、図３において、１８は取っ手部である。
【００１５】
図４は、本実施形態で使用するリモコン３の平面図である。このリモコンは基本的にＡＶ機能の操作用に作製されていて、ＴＶの操作やＤＶＤの操作に主として用いられるようになっている。本実施形態のリモコン３において特徴的な点は、リモコン３に設ける電源操作スイッチとして、ＡＶ電源スイッチ（ＡＶ電源ボタン）２１と、ＰＣ電源スイッチ（ＰＣ電源ボタン）２２とを設けたことにあり、ＡＶ電源スイッチ２１をプッシュした場合とＰＣ電源スイッチ２２をプッシュした場合とで、後述するようにシステムの起動の仕方が異なるようになっている。
【００１６】
図５は、本実施形態のシステムの制御系の概略構成を示すブロック図である。図５において、３１は、メインコントローラ装置（第１のコントローラ装置）として機能する構成要素を搭載したマザーボードであり、このマザーボード３１には、メインＣＰＵ３２、チップセット（chip set）３３、電気的に消去して再書き込みが可能なＲＯＭで構成される第１のＦＷＨ（Firmware Hub）３４、電気的に消去して再書き込みが可能なＲＯＭで構成される第２のＦＷＨ３５、前記メイン表示部５の表示制御を司る画像コントローラ３６、オーディオコーディック３７、モデムコーディック３８などが搭載されている。
【００１７】
マザーボード３１上やこれにつながっている回路部品や装置を接続してコントロールするためのチップセット３３には、メインＣＰＵ３２、第１のＦＷＨ３４、第２のＦＷＨ３５、画面コントローラ３６、オーディオコーディック３７、モデムコーディック３８が接続されている。また、チップセット３３には、ＤＶＤドライブ装置３９、ＨＤＤ（ハードディスクドライブ）装置４０が接続され、さらに、ＰＣＩ（Peripheral Component Interconnect）スロット４１を介して、カードスロットコントローラ４２、ＴＶチューナボード４３、オーディオアンプ４４などが接続されており、オーディオアンプ４４にはスピーカ４５が接続されている。
【００１８】
ＴＶチューナボード４３は、チップセット３３によって制御され、受信したチャンネルの受信信号のうちビデオ信号は、デジタル化されたビデオ信号としてマザーボード３１側に送出され、受信ビデオ信号は画像コントローラ３６において適宜に処理されて、受信画像としてメイン表示部５で表示される。また、受信したチャンネルの受信オーディオ信号は、受信信号を記録する場合には、デジタル化されたオーディオ信号としてマザーボード３１側に送出され、一方、ＴＶ放送を視聴する場合には、ＴＶチューナボード４３内の音声デコーダでアナログ信号に変換されてオーディオアンプ４４にダイレクトに出力され、オーディオアンプ４４で増幅処理されて、スピーカ４５から受信音声として出力される。なお、ディスクドライブ装置などを再生処理した際に得られるディジタルオーディオ信号は、チップセット３３を経由して、オーディオコーディック３７で適宜に処理された後、オーディオアンプでアナログ信号に変換されると共に増幅処理されて、スピーカ４５から再生音声として出力される。
【００１９】
モデムコーディック３８には、電話回線網などの通信ネットワークと接続された回線接続部４６が接続されており、ネットワークを介してインターネット通信が可能となっている。
【００２０】
また、５１はサブコントローラ装置（第２のコントローラ装置）として機能する構成要素を搭載したサブボードであり、このサブボード５１には、サブプロセッサ５２、前記リモコン３からの操作信号を受信する前記ＩＲ受光部９、前記キーボード装置２やマウス５５から到来した信号を適宜に処理して入力操作信号を受け付ける入力操作信号受付部５６、ＵＳＢ（Universal Serial Bus）ハブ５７などが搭載されている。また、サブプロセッサ５２には、前記サブ表示部７の表示制御を司る画面コントローラ５３の機能や、ＩＲ受光部９からの信号を適宜に処理してリモコン操作信号を受け付けるリモコン信号受付部５４の機能が含まれている。
【００２１】
サブプロセッサ５２はＵＳＢコントローラとしての機能も持ち、このサブプロセッサ５２には、サブボード５１のＵＳＢハブ５７が接続され、ＵＳＢハブ５７には入力操作信号受付部５６が接続されている。キーボード装置２やマウス５５と入力操作信号受付部５６との間の信号伝送は、本実施形態では無線を用いて行うようになっているが、接続ケーブルを用いるようにしてもよい。また、サブプロセッサ５２には、前記本体操作スイッチ群１４を搭載した本体操作ボード５８が接続されており、サブプロセッサ５２は、本体操作ボード５８（本体操作スイッチ群１４）からの操作信号も受け付けるようになっている。つまり、本実施形態では、ユーザによる操作信号の受け付けは、前記本体１に設けた電源スイッチ８の操作以外は、総てサブコントローラ装置で受け付け、これをＵＳＢハブ５７を介してメインコントロール装置のチップセット３３のＵＳＢ入力部３３ａに送出するようになっている。
【００２２】
本実施形態では、サブコントローラ装置（サブボード５１）とサブ表示部７は、本体１の電源コードが電源コンセントに接続された状態あるいは本体１にバッテリが装着された状態で、常に動作状態をとるようになっており、したがって、メインコントロール装置（マザーボード３１）やこれに接続された装置や部品に電源投入がなされておらず、これらが未起動状態にある際にも、サブコントローラ装置（サブボード５１）は単独で動作可能になっている。よって、画像コントローラ５３に接続されたサブ表示部７は、メインコントロール装置（マザーボード３１）が未起動状態にある際にも、サブプロセッサ５２の制御のもとに各種表示を行うことが可能となっている。
【００２３】
メインコントロール装置（マザーボード３１）やこれに接続された装置や部品に電源を投入してこれを起動させるのに、本実施形態では、キーボード装置２の電源スイッチを操作するか、リモコン３の電源スイッチ（前記ＡＶ電源スイッチ２１または前記ＰＣ電源スイッチ２２）を操作するか、本体１の前記電源スイッチ８を操作するかの、何れかを選択可能になっている。キーボード装置２やリモコン３の操作によるパワーオン信号は、メインコントロール装置（マザーボード３１）が未起動状態にある際にはＵＳＢによる通信が行えないので、サブプロセッサ５２からパワーオン信号送信線５９を介して、メインコントロール装置（マザーボード３１）のチップセット３３に送られる。その後、ＵＳＢにより、サブコントロール装置（サブボード５１）とメインコントロール装置（マザーボード３１）との間で各種信号の伝達が図られる。このように本実施形態では、それぞれプロセッサを備えた２つのボードを、起動信号を伝達する信号線（パワーオン信号送信線５９）と、その他の処理信号などを伝達するＵＳＢ線とを介して接続することにより、配線が簡素化され、高速で信頼性の高い信号送信を行うことができる。なお、本実施形態では、サブボード５１とマザーボード３１とを分離しているが、場合によっては、サブボード５１（サブコントロール装置）をマザーボード３１と一体化してもよい。
【００２４】
キーボード装置２の電源スイッチを操作すると、メインコントロール装置（マザーボード３１）は、ＯＳを起動させてパソコンとして機能するＰＣモードをとるように立ち上がる。また、リモコン３のＰＣ電源スイッチ２２を操作すると、メインコントロール装置は、ＯＳを起動させてパソコンとして機能するＰＣモードをとるように立ち上がり、リモコン３のＡＶ電源スイッチ２１を操作すると、メインコントロール装置は、ＯＳを起動させることなく、ＡＶ機能ソフトを起動させてＡＶ機器として機能するＡＶモードをとるように立ち上がる。また、本体１の電源スイッチ８を操作すると、メインコントロール装置は、設定条件に応じて、ＯＳを起動させてパソコンとして機能するＰＣモードをとるように立ち上がるか、もしくは、ＯＳを起動させることなく、ＡＶ機能ソフトを起動させてＡＶ機器として機能するＡＶモードをとるように立ち上がる。
【００２５】
メインコントロール装置（マザーボード３１）の前記第１のＦＷＨ３４には、ＢＩＯＳ（Basic Input Output System）設定及び起動信号で起動モードの設定を行う起動ＢＩＯＳと、ＰＣ起動用のＢＩＯＳと、ＰＣ用ＢＩＯＳの機能を限定するＡＶ用（ここではＴＶ用）のＢＩＯＳとが格納されており、また、前記第２のＦＷＨ３５には、ＡＶ用のアプリケーションソフト（ここではＴＶ視聴用のアプリケーションソフト）が格納されている。
【００２６】
つまり、第１のＦＷＨ３４にはシステム全体のＢＩＯＳが入っており、ＰＣモードでの起動設定、ＡＶモードでの起動設定をも行うようになっている。そして、メインコントロール装置は、パワー信号を受信すると、第１のＦＷＨ３４の起動ＢＩＯＳで起動して、操作信号の指示に基づいて、第１のＦＷＨ３４に格納されたＰＣ起動用のＢＩＯＳ、あるいはＡＶ用のＢＩＯＳを選択して起動させ、この起動により、ＰＣモードの場合はＨＤＤ装置４０のＯＳを立ち上げ、ＡＶモードの場合は、第２のＦＷＨのＡＶ用のアプリケーションソフトを立ち上げる。これにより、ＡＶモードでの各種機能の立ち上げを早くすることができるようになっている。
【００２７】
図６は、リモコン３のＡＶ電源スイッチ２１またはＰＣ電源スイッチ２２を操作した際の、サブコントロール装置（サブボード５１）の処理フローを示している。
【００２８】
リモコン３からの電源投入コードを受信すると（ステップＳ１）、受信コードを確認してＡＶ電源スイッチ２１によるコードまたはＰＣ電源スイッチ２２によるコードかを判定する（ステップＳ２）。ＡＶモードを指定する電源コードであった場合には、リモート信号をＨとすると共に、ＨでＰＣモードを指し示すモード種別信号をＬとして（ステップＳ３）、これらの信号をパワーオン信号と一緒にパワーオン信号送信線５９を介してメインコントロール装置（マザーボード３１）に送出する（ステップＳ５）。他方、ＰＶモードを指定する電源コードであった場合には、リモート信号をＨとすると共に、ＨでＰＣモードを指し示すモード種別信号をＨとして（ステップＳ４）、これらの信号をパワーオン信号と一緒にパワーオン信号送信線５９を介してメインコントロール装置（マザーボード３１）に送出する（ステップＳ５）。
【００２９】
図７は、キーボード装置２の電源スイッチが操作されるか、リモコン３の電源スイッチが操作されるか、本体１の電源スイッチ８が操作されるか、何れかの電源投入操作が行われたときの、メインコントロール装置（マザーボード３１）の処理フローを示している。
【００３０】
パワー信号を受信すると（ステップＳ１１）、第１のＦＷＨ３４から起動ＢＩＯＳを呼び出し（ステップＳ１２）、まず、リモート信号のレベルを確認し（ステップＳ１３）、リモート信号がＨである場合には、リモコン３による電源投入指示であると判断してステップＳ１４に進み、リモート信号がＬである場合には、キーボード装置２または本体１の電源スイッチ８による電源投入指示であると判断してステップＳ１７に進む。ステップＳ１４では、モード種別信号のレベルを確認して、モード種別信号がＬである場合にはＡＶモードであると判断し、ステップＳ１５に進み、モード種別信号がＨである場合にはＰＣモードであると判断し、ステップＳ１６に進む。
【００３１】
ステップＳ１５では、第１のＦＷＨ３４のＡＶ用のＢＩＯＳの機能を用いて、第２のＦＷＨ３５からＡＶ動作アプリケーションソフト（ここでは、ＴＶ視聴アプリケーションソフト）を読み出して、メインコントロール装置（マザーボード３１）はＡＶモードをとるように立ち上がる。また、ステップＳ１６では、第１のＦＷＨ３４のＰＣ起動用のＢＩＯＳを用いて、ＨＤＤ装置４０からＯＳを読み出して、メインコントロール装置（マザーボード３１）はＰＣモードをとるように立ち上がる。
【００３２】
ステップＳ１７では、モード種別信号のレベルを確認して、モード種別信号Ｈである場合には、サブコントロール装置（サブボード５１）を経由してきた信号であるが、リモコン３による信号ではなくキーボード装置２からの信号であると判断して上記したステップＳ１６に進み、モード種別信号がＬである場合には、サブコントロール装置（サブボード５１）を経由してきた信号ではなく、本体１の電源スイッチ８からの信号であると判断してステップＳ１８に進む。ステップＳ１８では、本体１の電源スイッチ８が操作された際に、第１のＦＷＨ３４のＰＣ起動用のＢＩＯＳを利用する設定状態（ＰＣモード設定状態）か、第１のＦＷＨ３４のＡＶ用のＢＩＯＳを利用する設定状態（ＡＶモード設定状態）かを確認して、ＰＣモード設定状態である場合には前記ステップＳ１６に進み、ＡＶモード設定状態である場合には前記ステップＳ１５に進む。
【００３３】
このように、本実施形態では、リモコン３のＡＶ電源スイッチ２１を操作するだけで、あるいは、ＡＶモード設定状態にある際において本体１の電源スイッチ８を操作するだけで、メインコントロール装置（マザーボード３１）は、ＯＳを起動させることなく、ＡＶ機能ソフトを起動させてＡＶ機器として機能するＡＶモードをとるように立ち上がる（起動する）。したがって、立ち上げ時間のかかるＯＳを起動させることなく、ＡＶ機器として機能するＡＶモード（ここでは、ＴＶ視聴モード）に短時間に立ち上がるので、電源投入からＴＶ放送視聴状態となるまでの待ち時間を短くすることができ、従来のようにユーザにイライラ感を持たせることがなくなる。しかも、リモコン３のＡＶ電源スイッチ２１の操作は、ＴＶ受像機をリモコン操作しているのと同等の感覚の操作であるので、本実施形態のシステムをＴＶ視聴に多用するユーザや、パソコンの操作に不慣れなユーザにとっては、非常に利便性の高いものとなる。
【００３４】
さらに本実施形態では、サブコントローラ装置（サブボード５１）は、本体１の電源コードが電源コンセントに接続された状態あるいは本体１にバッテリが装着された状態で、常に動作状態をとるようになっているので、リモコン３からの操作信号を常時受け付けることができ、リモコン３を操作するユーザにとっては、あたかもＴＶ受像機が待機状態にあるのと同様の感覚を与えることができる。また、サブコントローラ装置（サブボード５１）が、キーボード装置２、リモコン３、マウス５５、本体操作ボード５８（本体操作スイッチ群１４）からの操作信号を一括して受け付けるので、メインコントロール装置（マザーボード３１）における操作信号受け付け処理の負担が軽減され、しかも、サブコントローラ装置（サブボード５１）とメインコントロール装置（マザーボード３１）とは本体１内においてＵＳＢによる接続を行っているので、配線が簡素化され、しかも、高速で信頼性の高い信号送信を行うことができる。
【００３５】
なお、キーボード装置２の電源スイッチを操作した際には、メインコントロール装置（マザーボード３１）がＰＣモードで立ち上がるようにした所以は、ユーザがキーボード装置２を操作する場合は、本実施形態のシステムをパソコンとして利用することが多いと想定されるからである。
【００３６】
なおまた、本実施形態では、メインコントロール装置（マザーボード３１）をＡＶモードとなるように起動させたときには、メイン表示部５にＴＶ放送の受信画像を表示させ、スピーカ４５にＴＶ放送の受信音声を出力させる、ＴＶ視聴モードをとらせるようになっているが、このＴＶ視聴モードにおいて、リモコン３のＤＶＤボタンを操作すること、あるいは、ＤＶＤドライブ装置３９にＤＶＤやＣＤを装着することで、第２のＦＷＨ３５あるいは図示せぬ第３のＦＷＨに格納された光ディスク視聴機能アプリケーションソフトの起動状態（ＤＶＤ動作モード）への切り替えが行われるようになっている。
【００３７】
なおまた、本実施形態では、ＤＶＤドライブ装置３５は、ＴＶ視聴と同様に、ＯＳを立ち上げないで動作制御できるようにしているが、ＤＶＤドライブ装置３５は、通常のパソコンと同様にＯＳの管理下で動作させるようにしてもよい。
【００３８】
図８〜図１２は、サブコントローラ装置（サブボード５１）で制御させる前記サブ表示部７における表示例を示している。
【００３９】
図８は、サブ表示部８でＡＶモードに関連する表示を行っている例を示している。メインコントロール装置（マザーボード３１）がＡＶモードをとっているときに、サブ表示部７において図８に示したような表示を行わせることで、ユーザは一目で現在の動作状況を知ることができると共に、メイン表示部５に余分なＯＳＤ表示をさせる必要がなくなる。
【００４０】
図９は、ＰＣモードにおいて複写／移動を行っている際における表示の例を示している。メインコントロール装置（マザーボード３１）がＰＣモードをとっていて、内蔵ドライブ装置や増設あるいは一時接続されたドライブ装置同士でデータの複写／移動を行っているときに、サブ表示部７において図９に示したような表示を行わせることで、ユーザは一目で現在の動作状況を知ることができる。
【００４１】
図１０は、メイン表示部５における画像調整を行っている際や、スピーカの音量調整を行っている際などにおける表示の例である。画像調整や音量調整などを行っているときに、サブ表示部７において図９に示したような表示を行わせることで、ユーザは一目で現在の動作状況を知ることができると共に、メイン表示部５に余分なＯＳＤ表示をさせる必要がなくなる。
【００４２】
図１１の（ａ）は電子番組ガイドの表示例を示しており、キーボード操作などによって画面を図示の矢印方向にスクロールすることにより、見たい番組ガイドを視認することができるようになっている。これにより、メイン表示部５に他の画像を表示させた状態で、番組ガイドを知ることができる。図１１の（ｂ）は文字放送受信時において受信した文字放送を表示している例を示しており、文字データは図示の矢印方向に自動的にスクロールされるようになっている。これにより、メイン表示部５に文字放送の画像のみを表示させて、文字データを見ることができる。図１１の（ｃ）はシステムが待ち状態にあるときの待ち受け画面例を示しており、例えばキャラクタが自動的に育成されている画面を切り替え表示することで、システムが待ち状態にあることをユーザに知らせることができる。
【００４３】
図１２はインターネット関連の表示例を示している。図１２の（ａ）はＥメールの受信件数および未読件数の表示例であり、これにより、Ｅメールの受信件数および未読件数を知ることができる。なお、Ｅメールの受信件数のみや未読件数のみを表示させてもよい。図１２の（ｂ）は受信したＥメールの件名および送信者の表示例であり、画面を図示の矢印方向にスクロールさせることにより総ての内容を見ることができるようになっている。これにより、受信したＥメールの件名および送信者を知ることができる。なお、受信したＥメールの件名のみや送信者のみを表示させてもよい。図１２の（ｃ）は受信したＥメールの内容の表示例であり、画面を図示の矢印方向にスクロールさせることにより総ての内容を見ることができるようになっている。これにより、受信したＥメールの内容を知ることができる。図１２の（ｄ）はインターネットの接続時間および料金の表示例であり、これにより、インターネットの接続時間および料金を知ることができる。なお、インターネットの接続時間のみやインターネットの料金のみを表示させてもよい。
【００４４】
図１２に示したサブ表示部７によるインターネット関連の表示は、メイン表示部５にＴＶ受信画像や、各種のアプリケーションソフトによる画像表示を行わせた状態でも可能であるので、ユーザにとって利便性の高いものとなる。また、図１２に示したサブ表示部７によるインターネット関連の表示は、メインコントロール装置（マザーボード３１）が未起動状態やＡＶモード状態であっても、表示を行わせることが可能で、この場合は、メインコントロール装置が定期的にＰＣモードに立ち上がって、Ｅメールや課金情報を検索して、データをサブコントロール装置（サブボード５１）側に転送した後、ＰＣモードから抜けて未起動状態やＡＶモード状態に移行するように設定しておけばよい。
【００４５】
なおここで、メインコントロール装置からサブコントロール装置へサブ表示部７での表示用データを送出するに際し、メインコントロール装置はサブコントロール装置に対し、表示内容信号と、その表示内容信号の位置情報を出力し、これを受けてサブコントロール装置は、指示された位置情報に基づいてサブ表示部７の所定位置に対応する表示内容を表示させる。そして、サブ表示部７における表示内容に一部変更があった場合には、メインコントロール装置は、この変更部分にのみ対応する表示内容信号と、その表示内容信号の位置情報を出力するので、サブ表示部７の表示内容の一部分のみを変更する場合には、伝送信号量を軽減することができる。
【００４６】
図１３は、本実施形態の本体１の内部構造を示す分解斜視図であり、同図において先に記述した構成要素には同一符号を付し、その説明は割愛する。図１３において、７１は前部カバー、７２は中間カバーで、前部カバー７１と中間カバー７２と前記後部カバー１７とで、本体１の外筐を構成するようになっており、前部カバー７１の裏面の両サイドには、スピーカ４５が取り付けられており、前部カバー７１の上面側には、本体操作スイッチ群１４を搭載した本体操作ボード５８が取り付けられている。
【００４７】
７３は本体１の略中央において立垂した金属製のメインフレームで、このメインフレーム７３には、本体１内のシステムを構築するための各種構成要素部材が直接または間接的に保持されるようになっている。すなわち、メインフレーム７３の前面側には、メイン表示部５、サブボード５１、サブ表示部７が適宜の手段より保持され、メインフレーム７３の裏面側には、マザーボード３１、ＤＶＤドライブ装置３９、ＨＤＤ装置４０、ＤＣ／ＤＣコンバータ７４などが適宜の手段より保持され、さらに、マザーボード３１に接続されたライザーボード７５には、ＴＶチューナボード４３が接続・搭載されている。また、メインフレーム７３には、本体１の外筐も適宜の手段によって保持されるようになっている。
【００４８】
７６はメインフレーム７３の下端部に直接固定されたヒンジ部材で、このヒンジ部材７６の中空軸部には、スタンド部材４上に設けられた図示せぬ軸体が挿通されていて、これにより、ヒンジ部材７６、すなわちヒンジ部材７６と一体のメインフレーム７３が所定角度だけ回転可能であるように保持されており、この構成によって、前記したように本体１がスタンド部材４上で所定量だけチルト回転可能であるようになっている。
【００４９】
図１４は、本実施形態の本体１の内部構造を示す断側面図であり、同図において先に記述した構成要素には同一符号を付し、その説明は割愛する。図１４に示すように、本体１の各構成要素を保持する主梁構造物であるメインフレーム７３の前面側および裏面側に、メインフレーム７３の面方向と平行に各構成要素を配置しているので、本体１の薄型化が達成可能となっている。また、本体１の各構成要素を保持する主梁構造物であるメインフレーム７３に直接固定したヒンジ部材７６を、軸支した構成としてあるので、チルト回転のための構造が簡単化でき、しかも、メインフレーム７３自体をいわば直接回転可能に保持した構造となっているので、回転保持の機械的信頼性が高く、また、バランス的にも優れたものにすることができる。
【００５０】
なお、本実施形態では、後部カバー１７を取り外し可能に構成してあるので、後部カバー１７を取り外すと、ライザーボード７５への増設ボードの追加が簡単に行え、また、マザーボード３１などのメンテナンスも容易に行えるようになっている。
【００５１】
図１５は、本実施形態における本体１の裏面側の要部とスタンド部材４とを示す要部斜視図である。図１５において、８１は、前記マザーボード３１の下端に設けた複数のコネクタ部で、このコネクタ部８１には、接続ケーブル８２のコネクタ部８３が接続可能とされている。コネクタ部８１に接続された各接続ケーブル８２は、前記中間カバー７２の下方側に設けた開口８４（図１３参照）を通って本体１の外側に導出されるようになっている（すなわち、開口８４がコネクタ部８１に接続された接続ケーブル８２群の導出部となっている）。８５は、スタンド部材４の一部をなすスタンド上部カバー体で、このスタンド上部カバー体８５は、ヒンジ部材７６を軸支した部位などを覆うように、スタンド部材４の下部円板体８６と一体化されている。８７は、スタンド上部カバー体８５の裏面側の下部に設けたガイド穴で、上記接続ケーブル８２群をこのガイド穴８７を通すことにより、ばらけないように集約させるようになっている。つまり、スタンド上部カバー体８５の裏面側の下部に設けたガイド穴８７に、本体１から導出された接続ケーブル８２群を集約させるためのケーブル集約部の機能を持たせるように、構成してある。
【００５２】
このように、スタンド部材４に、本体１のマザーボード３１から導出された接続ケーブル８２群を集約させるためのケーブル集約部を設けると、接続ケーブル８２群がバラバラにならず、すっきりと見栄えの良い形態にまとめることができる。しかも、ケーブル集約用に別途部品を増設する必要もない。
【００５３】
次に、本発明の他の実施形態について、図１６〜図２０を用いて説明する。図１６は、本発明の他の実施形態に係る電子計算機システムの概要を示す図である。本実施形態の電子計算機システムは、前記サブ表示部７を前面に設けコントローラを含む各種構成要素を内蔵した本体１０１と、スタンド部材１０３上に配置され、前記メイン表示部５とスピーカ４５を備えたディスプレイ装置１０２と、前記キーボード装置２と、前記リモコン３と、図示せぬ前記マウス５５と、必要に応じて外付けで増設されるＨＤＤ装置やフロッピーディスクドライブ装置などを含んで、構築されている。本実施形態が前記実施形態と相違するのは、前記した実施形態の本体１を、本実施形態では、本体１０１とディスプレイ装置１０２とに分離した点にあり、図１６〜図２０において、先の実施形態と均等な構成要素には同一符号を付し、その説明は重複を避けるため割愛する。
【００５４】
本実施形態においては、本体１が縦置きの形態と横置きの形態とをとり得るようになっており、縦置きの状態では、図１６〜図１８に示すように、スタンド部材１０４を用いるようになっており、横置きの状態では、図１９に示すように、スタンド部材１０４を取り外して用いるようになっている。そして、縦置きの状態では前記サブ表示部７は縦長になり、横置きの状態ではサブ表示部７は横長になるようにされている。
【００５５】
図１７は縦置き状態の本体１０１の正面図で、本実施形態では、本体１０１の前面の右側が開閉可能のカバー１０５となっており、図１８に示すようにカバー１０５を開いた状態では、ＰＣカードスロット部１０６やコネクタ１０７などが露呈するようになっている。なお、本実施形態では、本体１０１には、前記したディスクドライブ装置（ＨＤＤ装置４０やＤＶＤドライブ装置３９）に加えて、ＣＤドライブ装置が付加して内蔵されており、図１６〜図１８において、１０８はＤＶＤドライブ装置３９のイジェクトボタン、１０９はＣＤドライブ装置のイジェクトボタンである。
【００５６】
図１９は横置き状態の本体１０１の正面図で、この状態では、上記したようにスタンド部材１０４は取り外されている。
【００５７】
本実施形態では、本体１０１が横置き状態のときには、サブ表示部７は前記した実施形態と同様に横長になるので、このときには、サブ表示部７は、前記した図８〜図１２に示したのと同様の表示がなされるように構成されている。しかし、本体１０１が横置き状態のときには、サブ表示部７は縦長となるので、この際には、縦長に見合った表示形態をとるように構成されている。図２０は、サブ表示部７が縦長の際の表示例を示しており、図２０の表示例は、左から順に、前記図８の表示例の上から順の表示内容にそれぞれ対応している。ここでは、サブ表示部７の縦長の表示例は図２０のみを示してあるが、横長の表示例と同等内容の表示が行えることは言うまでもない。
【００５８】
なお、サブ表示部７に横長に見合った表示をさせるか、縦長に見合った表示をさせるかは、ユーザがＰＣモードにおいて、ＯＳの制御下で働くサブボード用ドライバソフトを利用して、サブプロセッサ５２のレジスタに設定登録することで変更することができる。
【００５９】
【発明の効果】
以上のように本発明によれば、テレビ視聴機能などを具備した電子計算機システム（パソコン）において、ＯＳが未起動状態にある際にも、ＴＶ放送視聴状態となるまでの待ち時間を短くすることができ、ユーザにイライラ感をつのらせることがなくなる。また、ＯＳが未起動状態にある際にも、サブ表示部においてユーザにとって有用な情報を表示でき、ユーザにとって大いに利便性が向上する。
【図面の簡単な説明】
【図１】本発明の一実施形態に係る電子計算機システムの概要を示す説明図である。
【図２】本発明の一実施形態に係る電子計算機システムにおける、本体を斜め前から見た斜視図である。
【図３】本発明の一実施形態に係る電子計算機システムにおける、本体を斜め後上方から見た斜視図である。
【図４】本発明の一実施形態に係る電子計算機システムにおける、リモコンの平面図である。
【図５】本発明の一実施形態に係る電子計算機システムにおける、制御系の概略構成を示すブロック図である。
【図６】本発明の一実施形態に係る電子計算機システムにおいて、リモコンの電源スイッチを操作した際の、サブコントロール装置の処理フローを示すフローチャートである。
【図７】本発明の一実施形態に係る電子計算機システムにおいて、リモコンの電源スイッチまたはキーボード装置の電源スイッチまたは本体の電源スイッチが操作された際の、メインコントロール装置の処理フローを示すフローチャートである。
【図８】本発明の一実施形態に係る電子計算機システムにおける、サブ表示部での表示例を示す説明図である。
【図９】本発明の一実施形態に係る電子計算機システムにおける、サブ表示部での表示例を示す説明図である。
【図１０】本発明の一実施形態に係る電子計算機システムにおける、サブ表示部での表示例を示す説明図である。
【図１１】本発明の一実施形態に係る電子計算機システムにおける、サブ表示部での表示例を示す説明図である。
【図１２】本発明の一実施形態に係る電子計算機システムにおける、サブ表示部での表示例を示す説明図である。
【図１３】本発明の一実施形態に係る電子計算機システムにおける、本体の内部構造を示す分解斜視図である。
【図１４】本発明の一実施形態に係る電子計算機システムにおける、本体の内部構造を示す断側面図である。
【図１５】本発明の一実施形態に係る電子計算機システムにおける、本体の裏面側の要部とスタンド部材とを示す要部斜視図である。
【図１６】本発明の他の実施形態に係る電子計算機システムの概要を示す説明図である。
【図１７】本発明の他の実施形態に係る電子計算機システムにおける、縦置き状態にある本体の正面図である。
【図１８】図１７の状態からカバーを開いた状態を示す説明図である。
【図１９】本発明の他の実施形態に係る電子計算機システムにおける、横置き状態にある本体の正面図である。
【図２０】本発明の他の実施形態に係る電子計算機システムにおいて、サブ表示部で縦置きに見合っ表示を行っている例を示す説明図である。
【符号の説明】
１  本体
２  キーボード装置
３  リモコン
４  スタンド部材
５  メイン表示部
７  サブ表示部
８  本体の電源スイッチ
１１  前面クリアパネル
１４  本体操作スイッチ群
１７  後部カバー
２１  ＡＶ電源スイッチ
２２  ＰＣ電源スイッチ
３１  マザーボード
３２  メインＣＰＵ
３３  チップセット
３４  第１のＦＷＨ
３５  第２のＦＷＨ
３６  画像コントローラ
３７  オーディオコーディック
３８  モデムコーディック
３９  ＤＶＤドライブ装置
４０  ＨＤＤ装置
４１  ＰＣＩスロット
４２  カードスロットコントローラ
４３  ＴＶチューナボード
４４  オーディオアンプ
４５  スピーカ
４６  回線接続部
５１  サブボード
５２  サブプロセッサ
５３  画面コントローラ
５４  リモコン信号受付部
５５  マウス
５６  入力操作信号受付部
５７  ＵＳＢハブ
５８  本体操作ボード
７１  前部カバー
７２  中間カバー
７３  メインフレーム
７６  ヒンジ部材
８１  コネクタ部
８２  接続ケーブル
８４  開口
８５  スタンド上部カバー体
８７  ガイド穴
１０１  本体
１０２  ディスプレイ装置
【図１】
0004490572.tif 000002
【図２】
0004490572.tif 000003
【図３】
0004490572.tif 000004
【図４】
0004490572.tif 000005
【図５】
0004490572.tif 000006
【図６】
0004490572.tif 000007
【図７】
0004490572.tif 000008
【図８】
0004490572.tif 000009
【図９】
0004490572.tif 000010
【図１０】
0004490572.tif 000011
【図１１】
0004490572.tif 000012
【図１２】
0004490572.tif 000013
【図１３】
0004490572.tif 000014
【図１４】
0004490572.tif 000015
【図１５】
0004490572.tif 000016
【図１６】
0004490572.tif 000017
【図１７】
0004490572.tif 000018
【図１８】
0004490572.tif 000019
【図１９】
0004490572.tif 000020
【図２０】
0004490572.tif 000021